(57)【要約】【課題】複数列に配置（配列）された座席に対して、印刷物を列毎に配布する際に、列毎の部数が異なっていても、簡単に配布作業を行える状態に印刷物を仕分けして出力することができる画像形成装置を提供する。【解決手段】タッチパネル１１に表示させた配布情報選択入力画面によって複数列に配列された座席の配列情報の選択を受け付け、選択された前記配列情報に基づいて座席数分の印刷物を部単位で順次印刷させると共に、印刷された前記印刷物を選択された前記配列情報に基づいて列単位で仕分けして出力させる。また、タッチパネル１１に表示させた仕分け方法選択入力画面によって部単位での仕分け方法及び列単位での仕分け方法の選択を受け付け、選択された部単位での仕分け方法及び列単位での仕分け方法で、部単位での仕分け処理及び列単位での仕分け処理を行って印刷物を出力させる。【選択図】図６
2013086892.tif 000002
【特許請求の範囲】
【請求項１】
印刷物を出力する画像形成装置であって、
複数列に配列された座席の配列情報を受け付ける配列情報入力手段と、
該配列情報入力手段によって受け付けた前記配列情報に基づいて座席数分の前記印刷物を部単位で順次印刷する印刷手段と、
該印刷手段によって印刷された前記印刷物を前記配列情報入力手段によって受け付けた前記配列情報に基づいて列単位で仕分けして出力させる仕分け手段とを具備することを特徴とする画像形成装置。
【請求項２】
前記仕分け手段は、前記印刷手段によって印刷された前記印刷物を部単位で仕分けすると共に、部単位の仕分け方法とは異なる仕分け方法によって列単位で仕分けして出力させることを特徴とする請求項１記載の画像形成装置。
【請求項３】
前記仕分け手段による部単位での仕分け方法及び列単位での仕分け方法の選択を受け付ける仕分け方法選択入力手段を具備し、
前記仕分け手段は、前記仕分け方法選択入力手段によって選択された部単位での仕分け方法及び列単位での仕分け方法で、部単位での仕分け処理及び列単位での仕分け処理を行って前記印刷物を出力させることを特徴とする請求項２記載の画像形成装置。
【請求項４】
前記仕分け手段は、前記仕分け方法選択入力手段によって選択された部単位での仕分け方法及び列単位での仕分け方法が同一種類である場合でも、部単位と列単位とで異なる仕分け処理を行って前記印刷物を出力させることを特徴とする請求項３記載の画像形成装置。
【発明の詳細な説明】
【技術分野】
【０００１】
本発明は、印刷物を出力する画像形成装置に関し、特に仕分け機能を備えた画像形成装置に関するものである。
【背景技術】
【０００２】
仕分け機能を有する後処理装置を備えた画像形成装置が存在する。このような画像形成装置では、仕分けする部数を指定することで、印刷物（印刷が施された単葉の記録紙や記録紙束）が指定された部数毎に仕分けされて出力される。仕分けする部数の指定は、画像形成装置本体のみでなく、ネットワーク等で接続された周辺装置から行うことも可能になっている（例えば、特許文献１、２参照）。
【先行技術文献】
【特許文献】
【０００３】
【特許文献１】特開平３−２２０８６０号公報
【特許文献２】特開２００２−１０８５７６号公報
【発明の概要】
【発明が解決しようとする課題】
【０００４】
しかしながら、従来技術では、複数列に配列された座席に対して列毎に印刷物を配布する際に、列毎の座席数（配布する部数）が異なっていると、配布作業が繁雑なものになってしまうという問題点があった。すなわち、最も座席が多い列に合わせて仕分けした場合には、座席の少ない列において、必要以上の印刷物を配布して余りを回収するという手間が発生する。これを防止するためには、事前に必要な数量に仕分けし直すという余分な作業が必要になってしまう。
【０００５】
本発明の目的は、上記問題点に鑑み、従来技術の問題を解決し、座席レイアウトに応じた仕分け出力を行うことができ、複数列に配置（配列）された座席に対する印刷物の配布作業を簡単に行うことができる画像形成装置を提供することにある。
【課題を解決するための手段】
【０００６】
本発明の画像形成装置は、印刷物を出力する画像形成装置であって、複数列に配列された座席の配列情報を受け付ける配列情報入力手段と、該配列情報入力手段によって受け付けた前記配列情報に基づいて座席数分の前記印刷物を部単位で順次印刷する印刷手段と、該印刷手段によって印刷された前記印刷物を前記配列情報入力手段によって受け付けた前記配列情報に基づいて列単位で仕分けして出力させる仕分け手段とを具備することを特徴とする。
さらに、本発明の画像形成装置において、前記仕分け手段は、前記印刷手段によって印刷された前記印刷物を部単位で仕分けすると共に、部単位の仕分け方法とは異なる仕分け方法によって列単位で仕分けして出力させるようにしても良い。
さらに、本発明の画像形成装置において、前記仕分け手段による部単位での仕分け方法及び列単位での仕分け方法の選択を受け付ける仕分け方法選択入力手段を具備し、前記仕分け手段は、前記仕分け方法選択入力手段によって選択された部単位での仕分け方法及び列単位での仕分け方法で、部単位での仕分け処理及び列単位での仕分け処理を行って前記印刷物を出力させるようにしても良い。
さらに、本発明の画像形成装置において、前記仕分け手段は、前記仕分け方法選択入力手段によって選択された部単位での仕分け方法及び列単位での仕分け方法が同一種類である場合でも、部単位と列単位とで異なる仕分け処理を行って前記印刷物を出力させるようにしても良い。
【発明の効果】
【０００７】
本発明によれば、複数列に配列された座席の配列情報に基づいて座席数分の印刷物を部単位で順次印刷すると共に、印刷された印刷物を配列情報に基づいて列単位で仕分けして出力するように構成することにより、複数列に配置（配列）された座席に対して、印刷物を列毎に配布する際に、列毎の部数が異なっていても、簡単に配布作業を行える状態に印刷物を仕分けして出力することができるという効果を奏する。
【図面の簡単な説明】
【０００８】
【図１】本発明に係る画像形成装置の実施の形態の構成例を示す斜視図である。
【図２】図１に示す操作パネルの構成例を示す図である。
【図３】図２に示すストックトレイの用紙搬送機構例を示す概略斜視図である。
【図４】本発明に係る画像形成装置の実施の形態の概略構成を示すブロック図である。
【図５】本発明に係る画像形成装置の実施の形態の配布用仕分け動作を説明するためのフローチャートである。
【図６】図２に示すタッチパネルに表示される配布情報選択入力画面例及び仕分け方法選択入力画面例を示す図である。
【図７】本発明に係る画像形成装置の実施の形態の配布用仕分け動作による出力例を示す図である。
【図８】本発明に係る画像形成装置の実施の形態の配布用仕分け動作による出力例を示す図である。
【発明を実施するための形態】
【０００９】
次に、本発明の実施の形態を、図面を参照して具体的に説明する。
本実施の形態の画像形成装置は、図１を参照すると、記録紙Ｐに印刷を施す本体装置１００と、本体装置１００で印刷された記録紙Ｐを取り込み、幅寄せ仕分け処理や穿孔処理やステイプル処理等を行う後処理装置２００とを備えている。
【００１０】
本体装置１００の前面側には、本体装置１００や後処理装置２００の設定や動作指示を行う操作パネル１０が配設されている。操作パネル１０には、図２を参照すると、液晶表示パネルの表面に透明の感圧センサーが設けられたタッチパネル１１と、印刷枚数等の数値を入力するためのテンキー１２と、設定情報を初期化させる指示を入力するためのリセットキー１３と、複写動作を停止させたり、入力された数値を消去させたりするためのストップキー１４と、印刷動作を開始させる出力指示を入力するためのスタートキー１５とを備えている。
【００１１】
図２には、タッチパネル１１の基本表示画面例が示されており、用紙選択、倍率選択、濃度選択を行うキーの他に、配布用仕分けキー１６と、ステイプルキー１７と、パンチキー１８とが設けられている。配布用仕分けキー１６は、配布用仕分けを行う設定を入力するキーである。また、ステイプルキー１７は、印刷された記録紙Ｐの束にステイプル処理を行う設定を入力するキーである。さらに、パンチキー１８は、印刷された記録紙Ｐの束に穿孔処理を行う設定を入力するキーである。
【００１２】
本体装置１００は、複写機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。
【００１３】
原稿読取部１２０は、スキャナー１２１と、プラテンガラス１２２と、原稿読取スリット１２３とを備える。スキャナー１２１は、露光ランプ及びＣＣＤ(Charge Coupled Device)センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１４】
プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データーを取得し、取得した画像データーを記録部１４０に出力する。また、原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データーを取得し、取得した画像データーを記録部１４０に出力する。
【００１５】
原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の読取スリット１２３に対向する位置へ搬送され、その後、原稿排出部１２２に排出される。なお、原稿給送部１３０は、可倒式に構成され、原稿給送部１３０を上方に持ち上げることで、プラテンガラス１２２の上面を開放させることができる。
【００１６】
記録部１４０は、画像形成部１５０を備えると共に、給紙部１６０と、搬送路１７０と、搬送ローラー１８１と、排出ローラー１８２ａ及び排出ローラー１８２ｂと、排出トレイ１９０とを備えている。
【００１７】
給紙部１６０は、記録紙Ｐを収納する複数の給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２ａ、１８２ｂが搬送部として機能し、記録紙Ｐが搬送される。給紙ローラー１６２によって搬送路１７０に繰り出された記録紙Ｐは、搬送ローラー１８１によって画像形成部１５０に搬送される。そして、画像形成部１５０によって記録が施された記録紙Ｐは、排出ローラー１８２ａもしくは排出ローラー１８２ｂによって機外に出力される。排出ローラー１８２ａと排出ローラー１８２ｂとの切換は、操作パネル１０の操作に応じて動作する切替爪１８３によって行われる。記録が施された記録紙Ｐは、切替爪１８３によって排出ローラー１８２ａに導かれると、排出トレイ１９０に出力される。また、記録が施された記録紙Ｐは、切替爪１８３によって排出ローラー１８２ｂに導かれると、後処理装置２００に出力される。なお、本実施の形態では、４個の給紙カセット１６１ａ〜ｄが備えられている。
【００１８】
画像形成部１５０は、感光体ドラム１５１と、帯電部１５２、露光部１５３と、現像部１５４と、転写部１５５と、クリーニング部１５６と、定着部１５７とを備えている。露光部１５３は、レーザー装置やミラー等を備えた光学ユニットであり、画像データーに基づいてレーザー光を出力して、露光部１５３によって帯電された感光体ドラム１５１を露光し、感光体ドラム１５１の表面に静電潜像を形成する。現像部１５４は、トナーを用いて感光体ドラム１５１に形成された静電潜像を現像する現像ユニットであり、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１９】
後処理装置２００は、図１を参照すると、複数枚の記録紙Ｐを積み重ねて一時的にストックするストック部２１０と、ストック部２１０に積み重ねられた複数枚の記録紙Ｐ（以下、記録紙束Ｐ１と称す）に対して穿孔処理を行うパンチ部２０１、ストック部２１０の記録紙束Ｐ１に対してステイプル処理を行うステイプル部２０２とを備えている。
【００２０】
本体装置１００から後処理装置２００に向けて出力された記録紙Ｐは、後処理装置２００の側面に設けられた搬入口２０３を通って後処理装置２００内に搬入される。搬入口２０３の下流には、用紙を搬送する搬送ローラー２０４と、記録紙Ｐの搬送先にあわせて回動する案内爪２０５が設けられる。操作パネル１０への入力等で、幅寄せ仕分け処理やステイプル処理や穿孔処理を行う選択されている場合、案内爪２０５は、記録紙Ｐを下方のストック部２１０に送り込むように回動する。その結果、記録紙Ｐは、ストック部２１０に向けて搬送される。なお、幅寄せ仕分け処理やステイプル処理や穿孔処理を行うように選択されていない場合、案内爪２０５は、記録紙Ｐを上方の排出ローラー２０６に送り込むように回動する。その結果、記録紙Ｐは、排出ローラー２０６によって副排出トレイ２０７に印刷物として出力される。
【００２１】
ストック部２１０は、カバートレイ２１１及びストックトレイ２１２を備えている。ストック部２１０に搬送されてきた記録紙Ｐは、カバートレイ２１１とストックトレイ２１２との間に通され、ストックトレイ２１２の上面に記録紙Ｐが積み重ねられてストックされる。カバートレイ２１１は、ストック部２１０に積み重ねられる記録紙Ｐを上方から押さえるカバーとして機能する。また、カバートレイ２１１には、パンチ部２０１が設けられている。パンチ部２０１は、ストック部２１０の記録紙束Ｐ１に穿孔処理を行う。さらに、ストックトレイ２１２の下方に隣接してステイプル部２０２が設けられている。ステイプル部２０２は、ストック部２１０の記録紙束Ｐ１の先端を１箇所もしくは２箇所を綴じるステイプル処理を行う。
【００２２】
図３を参照すると、ストック部２１０に送られてきた記録紙Ｐは、断面が略コの字状のストッパ２１３によりストックトレイ２１２の表面で受け止められる。ストッパ２１３は、ストックトレイ２１２の幅方向の略中央に配置された無端ベルト２１４に取り付けられている。無端ベルト２１４は、プーリ２１５ａと回転軸２１５ｂとの間に掛け渡されており、回転軸２１５ｂを回転駆動するモーター２１６によって無端ベルト２１４が正逆回転される。ストッパ２１３は、使用される記録のサイズに対応して、記録紙Ｐの上端が一定位置でストックされるように制御される。
【００２３】
ストックトレイ２１２には、ストック部２１０に送られてきた記録紙Ｐの幅方向に整合するための右側カーソル２１７ａと左側カーソル２１７ｂとが設けられている。右側カーソル２１７ａと左側カーソル２１７ｂとは、ストックトレイ２１２の幅方向に並設され、図示しない駆動手段によって、記録紙Ｐの搬送方向と直交するストックトレイ２１２の幅方向に往復動される。これにより、右側カーソル２１７ａと左側カーソル２１７ｂとは、ストック部２１０の記録紙束Ｐ１を整合する整合手段として機能すると共に、ストック部２１０の記録紙束Ｐ１を左右方向（ 用紙の搬送方向と直交する幅方向）に位置ずらしする幅方向仕分け手段として機能する。
【００２４】
上記のような機構により、記録紙Ｐは、記録紙束Ｐ１としてストック部２１０に整合されてストックされる。穿孔処理を行う場合には、ストッパ２１３を上下動させ、記録紙Ｐのサイズに合わせ、ストックされた記録紙束Ｐ１を適切な位置に移動させ、パンチ部２０１によって穿孔処理を行う。また、ステイプル処理を行う場合には、ストッパ２１３を上下動させ、記録紙Ｐのサイズに合わせ、ストックされた記録紙束Ｐ１を適切な位置に移動させ、ステイプル部２０２によってステイプル処理を行う。さらに、幅寄せ仕分け処理を行う場合には、右側カーソル２１７ａと左側カーソル２１７ｂとによって、ストック部２１０の記録紙束Ｐ１を左右方向に位置をずらす。穿孔処理やステイプル処理や幅寄せ仕分け処理が完了すると、無端ベルト２１４が記録紙束Ｐ１を上方に搬送する方向に回転され、ストッパ２１３が記録紙束Ｐ１を上方に押し上げる。これにより、穿孔処理やステイプル処理が施された記録紙束Ｐ１は、排出ローラー２１８に送り込まれ、左右に幅寄せされて仕分けられた状態で、排出ローラー２１８によって排出口２１９を介して主排出トレイ２０８に印刷物として出力される。
【００２５】
主排出トレイ２０８は、搬送ベルト等からなる移動手段２２０によって図１に矢印で示す上下方向に往復動可能に構成されている。また、排出口２１９の近傍には、主排出トレイ２０８上の記録紙束Ｐ１の集積高さを検出する高さセンサー２２１が配設されている。高さセンサー２２１としては、例えば光反射型フォトインタラプタを用いることができる。
【００２６】
記録紙束Ｐ１が主排出トレイ２０８に出力されていない状態では、主排出トレイ２０８は最上位置に上昇している。主排出トレイ２０８に記録紙束Ｐ１が出力されると高さセンサー２２１がそれを検知することにより、移動ベルト手段２２０が主排出トレイ２０８を降下させる方向に駆動される。れにより、主排出トレイ２０８上の記録紙束Ｐ１上面と排出口２１９との間の距離が常に略等しくなるように制御され、記録紙束Ｐ１の主排出トレイ２０８への出力が確実に行われるようになっている。
【００２７】
次に、本体装置１００及び後処理装置２００のハードウェア構成例について図４を参照して説明する。
本体装置１００の操作パネル１０、原稿読取部１２０、原稿給送部１３０、画像形成部１５０及び搬送部（給紙ローラー１６２、搬送ローラー１８１、排出ローラー１８２ａ、ｂ、切替爪１８３）は、本体制御部１に接続され、本体制御部１によって動作制御される。また、本体制御部１には、記憶部２と、画像処理部３と、通信部４とが接続されている。
【００２８】
本体制御部１は、ＲＯＭ（Read Only Memory）、ＲＡＭ（Random Access Memory）等を備えたマイクロコンピュータ等の情報処理部である。ＲＯＭには本体装置１００の動作制御を行うための制御プログラムが記憶されている。本体制御部１は、ＲＯＭに記憶されている制御プログラムを読み出し、制御プログラムをＲＡＭに展開させることで、操作パネル１０から入力された所定の指示情報に応じて装置全体の制御を行う。
【００２９】
記憶部２は、半導体メモリやＨＤＤ（Hard Disk Drive）等の記憶手段であり、原稿読取部１２０によって原稿を読み取ることで取得された画像データー、通信部４を介して周辺機器から受信した画像データーや配布情報等が記憶される。なお、配布情報は、複数列に配列された座席のレイアウト（列数と、それぞれの列の座席数）を示す情報であり、登録名と共に記憶されている。
【００３０】
画像処理部３は、画像データーに対して所定の画像処理を行う手段であり、例えば、拡大縮小処理や、濃度調整、階調調整等の画像改善処理が行われる。
【００３１】
通信部４は、インターネットやＬＡＮ等の図示しないネットワークを介して、パーソナルコンピュータ等の周辺機器との間で各種データーを送受信する機能を有する。
【００３２】
本体制御部１は、操作パネル１０からの入力によって、後処理装置２００を利用する設定、すなわち、幅寄せ仕分け処理や穿孔処理やステイプル処理を行う設定になっている場合には、切替爪１８３を制御することで、記録が施された記録紙Ｐを後処理装置２００に出力させる。本体制御部１は、後処理装置２００内に設けられている後処理制御部５と通信可能に接続され、穿孔処理やステイプル処理の設定を後処理制御部５に指示する。
【００３３】
後処理装置２００の後処理制御部５は、ストック部２１０、パンチ部２０１、ステイプル部２０２と接続され、これらの制御を行う。後処理制御部５は、制御用プログラム、制御用データー、設定データー等の各種データーを記憶する記憶手段と、制御プログラムに基づき演算等を行い、各部を制御するＣＰＵとを備えている。後処理制御部５の記憶手段は、ＲＯＭ、ＲＡＭ、ＨＤＤ等の不揮発性と揮発性の記憶装置を組み合わせて構成される。
【００３４】
次に、本実施の形態の画像形成装置における配布用仕分け動作について図５乃至図７を参照して詳細に説明する。
図５を参照すると、本体装置１００の本体制御部１は、操作パネル１０（タッチパネル１１）の配布用仕分けキー１６の操作による配布用仕分け指示（ステップＳ１）と、スタートキー１５の操作による出力指示（ステップＳ２）とを監視している。
【００３５】
ステップＳ１で配布用仕分けキー１６の操作による配布用仕分け指示を受け付けることなく、ステップＳ２でスタートキー１５の操作による出力指示を受け付けた場合には、本体制御部１は、配布用仕分け処理を行うことなく、通常の出力を行う（ステップＳ３）。
【００３６】
ステップＳ１で配布用仕分けキー１６の操作による配布用仕分け指示を受け付けた場合には、本体制御部１は、図６（ａ）に示す配布情報選択入力画面をタッチパネル１１に表示させる。配布情報選択入力画面には、記憶部２に記憶されている配布情報のいずれかを選択する配列情報選択領域１９と、決定キー２０とが設けられている。ユーザーが配列情報選択領域１９において配布情報を選択し、決定キー２０を操作することで、本体制御部１は、配布用仕分け処理に使用する配布情報の選択入力を受け付ける（ステップＳ４）。
【００３７】
また、配列情報選択領域１９において決定キー２０が操作されると、本体制御部１は、図６（ｂ）に示す仕分け方法選択入力画面をタッチパネル１１に表示させる。仕分け方法選択入力画面には、配列情報確認領域２１と、列単位の仕分け方法を選択する列単位仕分け方法選択領域２２と、列内における部単位の仕分け方法を選択する部単位仕分け方法選択領域２３と、決定キー２４とが設けられている。配列情報確認領域２１は、ステップＳ４で選択された配布情報を確認するための領域であり、座席のレイアウトと、登録名と、総印刷部数（印刷物を配布する座席の数）とが表示される。これにより、ユーザーは、視覚的に配列情報を確認することができる。
【００３８】
列単位仕分け方法選択領域２２には、列単位での幅寄せ仕分け処理を指示する列単位幅寄せキー２５と、列間に合い紙（印刷が施されていない記録紙Ｐ）を挿入する合い紙仕分け処理を指示する合い紙キー２６とが設けられている。列単位仕分け方法選択領域２２において、列単位幅寄せキー２５もしくは合い紙キー２６のいずれかを操作することで、幅寄せ仕分け処理と合い紙仕分け処理のいずれかが選択されることになる。なお、本実施の形態では、列単位仕分け方法選択領域２２において２つの異なる仕分け処理のいずれかが選択されるように構成したが、後処理装置２００において、他の仕分け処理（例えば、複数のビン等の出力場所を変えての出力や向きを９０度変えての出力）を実行可能な場合には、他の仕分け処理を含めた複数の異なる仕分け処理の中から選択可能に構成することができる。
【００３９】
部単位仕分け方法選択領域２３には、列内における部単位での幅寄せ仕分け処理を指示する列部単位幅寄せキー２７が設けられている。部単位仕分け方法選択領域２３において、列部単位幅寄せキー２７を操作するか否かで、部単位で幅寄せ仕分け処理を行うか否かが選択されることになる。なお、本実施の形態では、部単位仕分け方法選択領域２３において仕分け処理を行うか否かが選択されるように構成したが、後処理装置２００において、他の仕分け処理（例えば向きを変えての出力）を実行可能な場合には、他の仕分け処理を含めた複数の異なる仕分け処理の中から選択可能に構成することができる。
【００４０】
ユーザーが列単位仕分け方法選択領域２２及び部単位仕分け方法選択領域２３において仕分け方法を選択し、決定キー２４を操作することで、本体制御部１は、仕分け方法の選択入力を受け付け（ステップＳ５）、スタートキー１５の操作による出力指示を待つ（ステップＳ６）。
【００４１】
ステップＳ６でスタートキー１５が操作されると、本体制御部１は、本体装置１００を制御することで、ステップＳ４で受け付けた配布情報に基づく総印刷部数分の印刷物を部単位で後処理装置２００に順次出力させると共に、ステップＳ５で受け付けた仕分け方法での仕分けを後処理装置２００の後処理制御部５に指示する。これにより、後処理制御部５は、ストック部２１０を制御することで、ステップＳ４で受け付けた配布情報に基づき、ステップＳ５で受け付けた仕分け方法で印刷物を仕分けして主排出トレイ２０８に出力させる（ステップＳ７）。
【００４２】
図７（ａ）には、配布用仕分け動作において、配布情報として図６（ｂ）に示す「１年３組」が選択され、且つ仕分け方法として列単位での幅寄せ仕分け処理のみが選択されている場合の出力例が示されている。図７（ａ）に示す出力例では、各列に必要な部数の記録紙束Ｐ１が列単位で左右に幅寄せされて出力されているため、複数列に配列された座席に対する記録紙束Ｐ１の配布に際し、各列に必要な部数を簡単に取り分けることができ、簡単に配布作業を行うことができる。
【００４３】
また、図７（ｂ）には、配布用仕分け動作において、配布情報として図６（ｂ）に示す「１年３組」が選択され、且つ仕分け方法として列単位での合い紙仕分け処理のみが選択されている場合の出力例が示されている。図７（ｂ）に示す出力例では、各列に必要な部数の記録紙束Ｐ１が合い紙となる記録紙Ｐを挟んで出力されているため、複数列に配列された座席に対する記録紙束Ｐ１の配布に際し、各列に必要な部数を簡単に取り分けることができ、簡単に配布作業を行うことができる。なお、合い紙となる記録紙Ｐのサイズは、記録紙束Ｐ１と同一サイズであっても異なるサイズであっても良いが、合い紙となる記録紙Ｐのサイズを記録紙束Ｐ１と同一か小さいサイズである場合には、図７（ｂ）に示すように、合い紙となる記録紙Ｐが記録紙束Ｐ１からずれて出力されるように、後処理装置２００で幅寄せして出力させると好適である。
【００４４】
図８（ａ）には、配布用仕分け動作において、配布情報として図６（ｂ）に示す「１年３組」が選択され、且つ仕分け方法として列単位での合い紙仕分け処理と部単位での幅寄せ仕分け処理とが選択されている場合の出力例が示されている。図８（ａ）に示す出力例では、列単位と部単位とで異なる仕分け処理が行われているため、各列に必要な部数の記録紙束Ｐ１を簡単に取り分けることができると共に、列内においても記録紙束Ｐ１を簡単に取り分けることができる。列内においても記録紙束Ｐ１が仕分けされているため、記録紙束Ｐ１にステイプル処理が施されていない場合に有効である。
【００４５】
図８（ｂ）には、配布用仕分け動作において、配布情報として図６（ｂ）に示す「１年３組」が選択され、且つ仕分け方法として列単位での幅寄せ仕分け処理と部単位での幅寄せ仕分け処理とが選択されている場合の出力例が示されている。図８（ｂ）に示す出力例では、列単位と部単位とで同種類の幅寄せ仕分け処理が選択されているが、列単位と部単位とで幅寄せ量が違う異なる仕分け処理が行われている。従って、各列に必要な部数の記録紙Ｐを簡単に取り分けることができると共に、列内においても記録紙Ｐを簡単に取り分けることができる。このように本実施の形態では、列単位と部単位とで同種類の仕分け処理（幅寄せ仕分け処理）が選択された場合にも、設定量（幅寄せ量等）を異ならせることで列単位と部単位とで異なる仕分け処理が行われるように構成されている。
【００４６】
なお、本実施の形態では、仕分け方法を配布情報とは別に操作パネル１０から選択入力するように構成したが、配布情報内に仕分け方法を選択する仕分け情報を含め、この仕分け情報を用いて配布用仕分け処理を行うように構成しても良い。
【００４７】
以上説明したように本実施の形態においては、タッチパネル１１に表示させた配布情報選択入力画面によって複数列に配列された座席の配列情報の選択を受け付け、本体装置１００によって、選択された前記配列情報に基づいて座席数分の印刷物を部単位で順次印刷させると共に、後処理装置２００によって、印刷された前記印刷物を選択された前記配列情報に基づいて列単位で仕分けして出力させるように構成することにより、座席レイアウトに応じた仕分け出力を行うことができ、複数列に配置（配列）された座席に対する印刷物の配布作業を簡単に行うことができるという効果を奏する。
【００４８】
さらに、本実施の形態においては、後処理装置２００によって、印刷物を部単位で仕分けすると共に、部単位の仕分け方法とは異なる仕分け方法によって列単位で仕分けして出力させるように構成することにより、各列に必要な部数の記録紙Ｐを簡単に取り分けることができると共に、列内においても記録紙Ｐを簡単に取り分けることができ、記録紙束Ｐ１にステイプル処理が施されていない場合にも、簡単に配布作業を行うことができる。
【００４９】
さらに、本実施の形態においては、タッチパネル１１に表示させた仕分け方法選択入力画面によって部単位での仕分け方法及び列単位での仕分け方法の選択を受け付け、後処理装置２００によって、選択された部単位での仕分け方法及び列単位での仕分け方法で、部単位での仕分け処理及び列単位での仕分け処理を行って印刷物を出力させるように構成することにより、ユーザーの所望する仕分けを行って印刷物を出力することができる。
【００５０】
さらに、本実施の形態においては、選択された部単位での仕分け方法及び列単位での仕分け方法が同一種類である場合でも、後処理装置２００によって、部単位と列単位とで異なる仕分け処理を行って印刷物を出力させるように構成することにより、ユーザーが部単位での仕分け方法と列単位での仕分け方法との組み合わせを意識することなく、仕分け方法を選択することができる。
【００５１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５２】
１  本体制御部
２  記憶部
３  画像処理部
４  通信部
５  後処理制御部
１０  操作パネル
１１  タッチパネル
１２  テンキー
１３  リセットキー
１４  ストップキー
１５  スタートキー
１６  配布用仕分けキー
１７  ステイプルキー
１８  パンチキー
１９  配列情報選択領域
２０  決定キー
２１  配列情報確認領域
２２  列単位仕分け方法選択領域
２３  部単位仕分け方法選択領域
２４  決定キー
２５  列単位幅寄せキー
２６  合い紙キー
２７  列部単位幅寄せキー
１００  本体装置
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２ａ、１８２ｂ  排出ローラー
１８３  切替爪
１９０  排出トレイ
２００  後処理装置
２０１  パンチ部
２０２  ステイプル部
２０３  搬入口
２０４  搬送ローラー
２０５  案内爪
２０６  排出ローラー
２０７  副排出トレイ
２０８  主排出トレイ
２１０  ストック部
２１１  カバートレイ
２１２  ストックトレイ
２１３  ストッパ
２１４  無端ベルト
２１５ａ  プーリ
２１５ｂ  回転軸
２１６  モーター
２１７ａ  右側カーソル
２１７ｂ  左側カーソル
２１８  排出ローラー
２１９  排出口
２２０  移動手段
２２１  高さセンサー
【図１】
2013086892.tif 000003
【図２】
2013086892.tif 000004
【図３】
2013086892.tif 000005
【図４】
2013086892.tif 000006
【図５】
2013086892.tif 000007
【図６】
2013086892.tif 000008
【図７】
2013086892.tif 000009
【図８】
2013086892.tif 000010